(57)【要約】  設置後の試運転や点検時の作業性と安全性を向上させるため、筐体（２）と、筐体（２）内に設けられた箱体（１１）と、箱体（１１）内に鉛直方向に沿って、かつ、少なくとも手前側と奥側に重ねて配置されるとともに、それぞれ電気部品が実装されたメイン制御基板（１２），ファンモータ駆動用基板（１３），ノイズフィルタ基板（１４）を具備し、メイン制御基板（１２）は、その下辺側を支点として手前側に回動可能に設けられている。
2007108447.tif 000002
【特許請求の範囲】
【請求項１】
ユニット筐体と、
このユニット筐体内に設けられた制御装置筐体と、
この制御装置筐体内に鉛直方向に沿って、かつ、少なくとも手前側と奥側に重ねて配置されるとともに、それぞれ電気部品が実装された複数の制御基板とを具備し、
前記複数の制御基板のうち最も手前側に設けられる制御基板は、その下辺側を支点として手前側に回動し、所定の角度で停止可能に設けられていることを特徴とする空気調和装置の室外ユニット。
【請求項２】
前記複数の制御基板のうち、最も手前側に設けられた制御基板には、奥側に設けられた制御基板に実装された電気部品よりも低電圧で駆動される電気部品が実装されていることを特徴とする請求項１に記載の空気調和装置の室外ユニット。
【請求項３】
前記ユニット筐体内部は、鉛直方向に沿って配置された仕切板によって機械室と熱交換室とに区画され、
前記制御装置筐体は、前記機械室の上部に配置されるとともに前記熱交換室側に連通するダクト部を有し、このダクト部の前記熱交換室側にリアクタを収納するリアクタ収納箱が設けられていることを特徴とする請求項１または２に記載の空気調和装置の室外ユニット。
【発明の詳細な説明】
【技術分野】
【０００１】
本発明は、空気調和装置の室外ユニットに関し、特に電気部品が実装された制御装置内の制御基板の配置に関する。
【背景技術】
【０００２】
従来、空気調和装置の室外ユニットには、圧縮機や電動膨張弁等を駆動制御するための電気部品を実装した制御基板を備えた制御装置を収納している。例えば、電装品箱を小型化するために第１制御基板を電装品箱の奥側に配置し、第２制御基板を手前側に配置したものが開示されている（例えば、特開２００５−６９５８２号公報参照）。【０００３】
また、電装品ユニットを分割し、機械室の上方にインバータやリアクタ等の移動させることのない電気部品を実装した第１電装品ユニットを設け、その下方にマイコン等の電気部品を実装した第２電装品ユニットを設け、第２電装品ユニットの鉛直片側（左側端面）を回転軸として第２電装品ユニットを扉状に開閉可能にし、第２電装品ユニットを移動させて冷媒回路構成部品にアクセスできるようにしたものが開示されている（例えば、特開２００５−７６９２５号公報参照）。
【発明の開示】
【０００４】
上述した空気調和装置の室外ユニットに収納された制御装置には、次のような問題があった。すなわち、特開２００５−６９５８２号公報に記載の構成では、第１制御基板を電装品箱の奥側に配置し、第２制御基板を手前側に配置しているので、奥側に配置された第１制御基板を点検、修理するときは手前側の第２制御基板を電装品箱から取り外す必要があり作業性が良くなかった。
【０００５】
一方、特開２００５−７６９２５号公報に記載の構成では、電装品ユニットを分割して上下に配置しているので、室外ユニットの組立て時に２つの電装品ユニットを組込む必要があり、組立て作業性が良くなかった。また、メンテナンス作業中に第２電装品ユニットが動いて作業の邪魔をするおそれがあった。
【０００６】
そこで本発明は、設置後の試運転や点検時の作業性を向上させることができる空気調和機の室外ユニットを提供することを目的としている。
【０００７】
前記課題を解決し目的を達成するために、本発明の空気調和機の室外ユニットは次のように構成されている。
【０００８】
ユニット筐体と、このユニット筐体内に設けられた制御装置筐体と、この制御装置筐体内に鉛直方向に沿って、かつ、少なくとも手前側と奥側に重ねて配置されるとともに、それぞれ電気部品が実装された複数の制御基板とを具備し、前記複数の制御基板のうち最も手前側に設けられる制御基板は、その下辺側を支点として手前側に回動し、所定の角度で停止可能に設けられている。
【図面の簡単な説明】
【０００９】
【図１】図１は、本発明の一実施の形態に係る室外ユニットの外観を示す斜視図である。
【図２】図２は、同室外ユニットを分解して示す斜視図である。
【図３】図３は、同室外ユニットの内部構造を示す正面図である。
【図４】図４は、同室外ユニットの内部構造を示す平面図である。
【図５】図５は、同室外ユニットに組み込まれた制御装置を示す斜視図である。
【図６】図６は、同制御装置に組み込まれたメイン基板を開いた状態を示す斜視図である。
【図７】図７は、同制御装置を示す平面図である。
【図８】図８は、同メイン基板の開閉構造を示す斜視図である。
【図９】図９は、同開閉構造の要部を示す斜視図である。
【発明を実施するための最良の形態】
【００１０】
図１は本発明の一実施の形態に係る室外ユニット１の外観を示す斜視図、図２は室外ユニット１の分解して示す斜視図、図３は室外ユニット１の内部構造を示す正面図、図４は室外ユニット１の内部構造を示す平面図、図５は室外ユニット１に組み込まれた制御装置１０Ａを示す斜視図、図６は図５においてメイン基板１２を開いた状態を示す斜視図、図７は制御装置１０Ａを示す平面図、図８は制御装置１０Ａに組み込まれたメイン基板１２の開閉構造を示す斜視図、図９は同開閉構造の要部を示す斜視図である。【００１１】
図１中１は空気調和装置の室外ユニット、２は筐体（ユニット筐体）、３は吹出しグリル（ファンガード）を示している。【００１２】
図２に示すように、筐体２は、底板２１、天板２２、前面板２３、前側板２４、後側板２５、支柱２６及びフィンガード２７を備えている。なお、図１中２８は外気導入口を示している。前面板２３には吹出口２３ａが上下に２つ設けられ、吹出口２３ａ、２３ａをそれぞれを覆うように外側に吹出しグリル３が取付けられ、さらに内側にはベルマウス２３ｂが取付けられている。【００１３】
室外ユニット１の内部は、図３に示すように、仕切板４によって機械室２Ａと熱交換室２Ｂに区画されている。仕切板４は、底板２１から天板２２に亘って鉛直方向に設けられている。図２に示すように、仕切板４の上方部は切欠部４１が設けられている。この切欠部４１に後述する制御装置１０Ａが取付けられる。【００１４】
機械室２Ａには、圧縮機５、四方弁６、アキュムレータ７の他に電動膨張弁や冷媒タンク等の冷凍サイクル構成部品が配置されている。これら冷凍サイクル構成部品の上方のスペースに制御装置１０Ａが配置されている。この他に機械室２Ａの前面側には、室外ユニット１と室内ユニット（不図示）を接続する冷媒配管の一端側が接続される配管接続部１００（液側接続部１００ａ、ガス側接続部１００ｂ）が設けられている。【００１５】
熱交換室２Ｂには、熱交換器８と送風機９が配置されている。熱交換器８は、室外ユニット１の背面側と一側面側に面するように平面視でＬ字形状に設けられている。送風機９は、モータベース９１、２個のファンモータ９２、２個のプロペラファン９３から構成されている。モータベース９１は脚部が底板２１に固定され上部が熱交換器８に固定され、上下方向にファンモータ９２を固定するモータ固定部を有している。プロペラファン９３は図３において時計方向に回転することによって室外ユニット１の背面側から前面の吹出し口２３ａに向けて空気を送風する。【００１６】
制御装置１０Ａは、鉛直方向に沿って設けられた複数の制御基板１２〜１５と、これらを収納する箱体（制御装置筐体）１１とを備えている。【００１７】
箱体１１は板金製で上下が開口した三重構造をなしている。箱体１１の最も奥側（室外ユニット１背面側）の側板１１ａに高電圧（例えば２８０Ｖ）で駆動される電気部品であるノイズフィルタ基板１４及び電解コンデンサ１６が取り付けられている。【００１８】
中間部の中間板１１ｂには、高電圧で駆動されるファンモータ駆動用基板（ファン駆動用インバータ装置）１３が取付けられている。最も手前側の側板１１ｃには空気調和装置の運転を制御するメイン制御基板１２が設けられている。このメイン基板１２に実装される電気部品は主として５Ｖ〜１５Ｖ程度の低電圧で駆動される電気部品である。【００１９】
また、箱体１１の仕切板４側の側板１１ｄには圧縮機駆動用基板（圧縮機用インバータ装置）１５が取付けられている。この圧縮機駆動用基板１５の裏側（仕切板４側）にはパワートランジスタモジュール１７が実装されており、側板１１ｄを介して放熱フィン１８が取付けられている。側板１１ｄは仕切板４の切欠部４１に対応しており、制御装置１０Ａが仕切板４に取付けられることにより図７に示すように、放熱フィン１８が熱交換室２Ｂ内に配置される。【００２０】
圧縮機駆動用基板１５は高電圧（例えば２８０Ｖ）で駆動される電気部品を実装しているが、圧縮機駆動用基板１５はそのほとんどがメイン基板１２よりも奥側に配置されているのでメイン基板１２を操作中に圧縮機駆動用基板１５に手が触れにくくなっている。【００２１】
図５に示すように、メイン基板１２の下方部には端子台１９が斜め上方を向くように傾斜して設置されている。この端子台１９を介して商用電源と制御装置１１とが接続される。端子台１９に接続された商用電源はノイズフィルタ基板１４により整流される。この端子台１９は商用電源の電流が流れるため危険であるが、メイン基板１２とは離間して設けられているのでメイン基板１２を操作中に端子台１９に手が触れにくくなっている。【００２２】
箱体１１は、メイン基板１２がその下方部を支点として筐体前面側に可動できるようにする可動部２００を備えている。側板１１ｃの下端両側部に引掛け片２０１が折り曲げ形成されている。対する箱体１１の下方部には引掛け片２０１を係止する係止部２０２が設けられている。【００２３】
側板１１ｃの引掛け片２０１は、凹部２０１ａと、先端部がそれぞれ内側に折り曲げ形成された引掛け爪２０１ｂとを有している。【００２４】
係止部２０２は先端部がそれぞれ内側に向けて折り曲げ形成された折曲片２０２ａと、折曲片２０２ａに設けられたスリット２０２ｂを有している。【００２５】
スリット２０２ｂは、引っ掛け片２０１の引掛け爪２０１ｂを挿入可能な挿入孔部２０２ｂ１と、引掛け片２０１が摺動可能なスライド孔部２０２ｂ２とで構成されている。このスライド孔部２０２ｂ２は挿入孔部２０２ｂ１よりも幅が狭く設けられている。【００２６】
引掛け片２０１の引掛け爪２０１ｂを係止部２０２の挿入孔部２０２ｂ１に挿入した後、さらに押し込むと、スライド孔部２０２ｂ２に沿って引っ掛片２０１が上方に移動しながらスリット２０２ｂに挿入され、引掛け片２０１の凹部２０１ａが係止部の折曲片２０２ａと係止する。この状態で側板１１ｃに設けられた固定片１１０をネジ等の固定具により箱体１１に固定する。【００２７】
側板１１ｃを開くときは、ネジ等の固定具を外し、側板１１ｃの上部を手前に引くことで引掛け片２０１の凹部２０１ａを支点として側板１１ｃが回動する。引掛け片２０１の引掛け爪２０１ｂが係止部２０２の折曲片２０２ａに当接し、引掛け爪２０１ｂがストッパとなってそれ以上の回動が規制される。そして、メイン基板１２及び側板１１ｃの自重により開いた状態で停止する。箱板１１の上部には熱交換室２Ｂに連通するダクト部１１ｅが設けられ、ダクト部１１ｅの熱交換室２Ｂ側にリアクタ２０（図２参照）を収納するリアクタ収容箱１０Ｂが設けられている。【００２８】
このように構成された空気調和機の室外ユニット１においては、設置後の試運転、点検やメンテナンスを行う際に次のような利点がある。すなわち、メイン基板１２が回動するので、奥側に配置されたファンモータ駆動用基板１３や圧縮機駆動用基板１５を点検する場合にメイン基板１２を取り外すことなく作業が可能となる。また、メイン基板１２の回動が所定の角度に規制され、停止されるので、メイン基板１２に接続された各種配線に余分な力が加わったり、抜けたりすることがない。また、作業中にメイン基板１２が勝手に動くことがないので作業の邪魔になりにくい。【００２９】
なお、メイン基板１２の回動支点を基板の左右どちらかの側片部に配置にした場合、回動の邪魔とならないように支点となる側に各種配線を集中させる必要がある。そうすると、二方便や四方弁６に電源を供給する交流（ＡＣ）電源線と、電動膨張弁（ＰＭＶ）に電源を供給する直流（ＤＣ）電源線および温度センサなどの各種センサ用信号線とが近づいてしまい、交流電源線の影響を受けて、電動膨張弁が誤動作したりセンサ用信号線にノイズが乗ることがある。本実施の形態の場合、メイン基板１２の下辺部を支点として回動させ、メイン基板１２の左右に交流電源線と直流電源線とを分けて配線させている。そして、直流電源線および各種センサが接続される直流電源コネクタ１２ａをメイン基板１２の左側に集中して配置し、交流電源コネクタ１２ｂをメイン基板１２の右側に集中して配置することにより、ノイズ対策が容易となり、信頼性が向上する。【００３０】
また、空気調和機の運転が開始され、送風機９が駆動されると熱交換室２Ｂが負圧となり、筐体２に設けられた外気導入口２８から流入した空気が機械室２Ａからダクト部１１ｅを介して熱交換室２Ｂ側へ流れる。この空気の流れにより制御装置１０Ａ及びリアクタ収納箱１０Ｂの内部が冷却される。【００３１】
高温となるリアクタ２０を熱交換室２Ｂ側に配置したので制御装置１０Ａを小型化できるとともに、リアクタ２０を効率的に冷却することができる。また、高電圧で駆動されるノイズフィルタ１４や電解コンデンサ１６は、機械室２Ａに収納された他の構成部品に比べて低温のアキュムレータ７の上部に配置されているのでさらに冷却効果が向上する。【００３２】
上述したように、本実施の形態に係る空気調和機の室外ユニット１によれば、奥側の制御基板を点検・修理する際に手前側の制御基板を取り外さなくても良いので作業性が向上する。また、ノイズが乗りやすい配線とセンサ用信号線とを離間して配線することが可能となり信頼性が向上する。さらに、多重構造としているので制御装置の組み込みが作業が容易になる。【００３３】
なお、本発明は前記実施の形態に限定されるものではなく、本発明の要旨を逸脱しない範囲で種々変形実施可能であるのは勿論である。
【産業上の利用可能性】
【００３４】
本発明によれば、空気調和機の室外ユニットの設置後の試運転や点検時の作業性を向上させることが可能となる。
【図１】
2007108447.tif 000003
【図２】
2007108447.tif 000004
【図３】
2007108447.tif 000005
【図４】
2007108447.tif 000006
【図５】
2007108447.tif 000007
【図６】
2007108447.tif 000008
【図７】
2007108447.tif 000009
【図８】
2007108447.tif 000010
【図９】
2007108447.tif 000011
【国際調査報告】
2007108447.tif 000012
2007108447.tif 000013
2007108447.tif 000014
2007108447.tif 000015